(57)【要約】【課題】  脱型が簡易に行えて施工性が良く、かつ再利用ができて低コストで施工できる免震層上部ＲＣ造架台の底面施工用浮き型枠装置を提供する。  【解決手段】  この装置１は、基礎１０上に免震支承１２を介して支持されるＲＣ造架台１３を現場打設するのに用いられ、基礎１０とＲＣ造架台１３の間にクリアランス１４が生じるようにＲＣ造架台１３の底面を成形する。基礎１０上に隣合う免震支承１２，１２間に配置される支保工２と、支保工２に支持されＲＣ造架台１３の底面を成形する底型枠３を備える。底型枠３の下面には複数の斜め被支持台４が並べて設けられ、その下面は並び方向に傾斜した傾斜下面４ａである。支保工２は斜め被支持台４を傾斜方向へスライド可能に載せる複数の底型枠載置部２ａを有し、底型枠３にスライド可能に連結部材７で連結される。支保工２は、ＲＣ造架台１３の立面を成形する型枠１５の内面に接する型枠当接部２ｃ，２ｄを有する。【選択図】      図１
2015034405.tif 000002
【特許請求の範囲】
【請求項１】
基礎上に免震支承を介して支持されるＲＣ造架台を現場打設するときに用いられ、前記基礎とＲＣ造架台の間にクリアランスが生じるように前記ＲＣ造架台の底面を成形する免震層上部ＲＣ造架台の底面施工用浮き型枠装置であって、
前記基礎上に隣合う免震支承間に位置して配置される支保工と、この支保工に支持されて前記ＲＣ造架台の底面を成形する底型枠とを備え、
前記底型枠は、下面に複数の斜め被支持台が並べて設けられ、これら複数の斜め被支持台は下面が互いの並び方向に傾斜した同一傾斜方向の傾斜下面であり、
前記支保工は前記底型枠の前記複数の斜め被支持台を傾斜方向へスライド可能にそれぞれ載せる複数の底型枠載置部を有し、前記底型枠に前記スライドが可能なように連結部材で連結され、
かつ前記支保工は、前記ＲＣ造架台の立面を成形する型枠の内面に接する型枠当接部を端部に有する、
免震層上部ＲＣ造架台の底面施工用浮き型枠装置。
【請求項２】
請求項１に記載の免震層上部ＲＣ造架台の底面施工用浮き型枠装置において、前記支保工は前記複数の底型枠載置部の並び方向に延びる細長形状であり、前記底型枠に対して複数本平行に設け、前記底型枠には前記斜め被支持台を前記各支保工に対して設けた免震層上部ＲＣ造架台の底面施工用浮き型枠装置。
【発明の詳細な説明】
【技術分野】
【０００１】
この発明は、基礎上に免震支承を介して支持されるＲＣ造架台を現場打設するときに用いられ、前記基礎とＲＣ造架台の間にクリアランスが生じるように前記ＲＣ造架台の底面を成形する免震層上部ＲＣ造架台の底面施工用浮き型枠装置に関する。
【背景技術】
【０００２】
免震建物として、基礎上に免震支承を介してＲＣ造架台を設け、このＲＣ造架台上に建物本体を設置した構成のものがある。免震支承は間隔を置いて配置され、免震支承のない支承間部分では、ＲＣ造架台と基礎との間はクリアランスとされる。
前記のようなＲＣ造架台を現場打設で施工する方法としては、架台底部に底型枠と支保工を設けて打設を行う方法（以下、施工案Ａと称す）と、底型枠を捨て型枠として利用する方法（以下、施工案Ｂと称す）とがある。
【先行技術文献】
【特許文献】
【０００３】
【特許文献１】特開２００７−２８４８８７号公報
【特許文献２】特開２０１０−２３６２１２号公報
【発明の概要】
【発明が解決しようとする課題】
【０００４】
上記構成の免震建物において、基礎天端からＲＣ造架台の底面までの高さが低く、隣合う免震支承間のクリアランス部の長さが長い場合がある。このような場合、上記各施工案Ａ，Ｂでは、以下のような問題が生じる。
＜施工案Ａ（支保工利用）の問題点＞
・施工時に支保工として利用できるものが殆ど無い。
・施工後に底型枠の撤去が難しい。
＜施工案Ｂ（捨て型枠利用）の問題点＞
・底型枠を捨て型枠として利用する施工方法は、型枠の再利用ができないので施工費用が高価になりやすい。
・隣合う免震支承間のクリアンス部の長さが長い場合、底型枠には高い面外剛性が必要になるので、施工には限界がある。
【０００５】
この発明の目的は、基礎上に免震支承を介して支持されるＲＣ造架台を現場打設するときに用いられ、脱型が簡易に行えて施工性が良く、かつ再利用ができて低コストで施工できる免震層上部ＲＣ造架台の底面施工用浮き型枠装置を提供することである。
【課題を解決するための手段】
【０００６】
この発明の免震層上部ＲＣ造架台の底面施工用浮き型枠装置は、基礎上に免震支承を介して支持されるＲＣ造架台を現場打設するときに用いられ、前記基礎とＲＣ造架台の間にクリアランスが生じるように前記ＲＣ造架台の底面を成形する免震層上部ＲＣ造架台の底面施工用浮き型枠装置であって、
前記基礎上に隣合う免震支承間に位置して配置される支保工と、この支保工に支持されて前記ＲＣ造架台の底面を成形する底型枠とを備え、
前記底型枠は、下面に複数の斜め被支持台が並べて設けられ、これら複数の斜め被支持台は下面が互いの並び方向に傾斜した同一傾斜方向の傾斜下面であり、
前記支保工は前記底型枠の前記複数の斜め被支持台を傾斜方向へスライド可能にそれぞれ載せる複数の底型枠載置部を有し、前記底型枠に前記スライドが可能なように連結部材で連結され、
かつ前記支保工は、前記ＲＣ造架台の立面を成形する型枠の内面に接する型枠当接部を端部に有するものである。
【０００７】
この構成によると、支保工と底型枠が一体に連結されているため、支保工と底型枠が同時に脱型できる。底型枠は下面に傾斜を持った斜め被支持台が設けられ、この斜め被支持台を支保工にスライド可能に載せ、支保工と底型枠とはスライド可能に連結しているため、脱型時に支保工をスライドさせることにより、支保工を基礎上から浮かせることができる。そのため、基礎と底型枠上に打設されたＲＣ造架台との間から、上部構造物の荷重がかからない状態で底型枠と支保工を引き出して脱型することができる。前記斜め被支持台の傾斜方向を奥行き方向としておくと、奥行き方向にスライドさせて上記引き出しが行える。底型枠と支保工とはスライド可能に連結されているが、前記支保工は、ＲＣ造架台の立面を成形する型枠の内面に接する型枠当接部を端部に有するため、コンクリートの打設時は前記立面用の型枠で支持されて位置固定され、立面用の型枠を脱型すると、その型枠による支持が解除され、スライド可能となる。このため、底型枠と支保工とをスライド方向に対して固定したり固定解除したりする作業が不要である。これらにより、底型枠を容易に脱型することができ、施工性に優れる。脱型した底型枠および支保工は再利用できるため、型枠コストが削減できる。
【０００８】
この発明において、前記支保工は前記複数の底型枠載置部の並び方向に延びる細長形状であり、前記底型枠に対して複数本平行に設け、前記底型枠には前記斜め被支持台を前記各支保工に対して設けても良い。
このように、支保工を、複数の底型枠載置部の並び方向に延びる細長形状とした場合、つまりスライド式の複数の支保工を線状として平行に配置した場合、底型枠に連結された複数の支保工を脱型時に同時にスライドさせることができる。また、底型枠に対して支保工を複数本平行に設けることで、底型枠を支持するための十分な強度を支保工に持たせることができる。
【発明の効果】
【０００９】
この発明の免震層上部ＲＣ造架台の底面施工用浮き型枠装置は、基礎上に免震支承を介して支持されるＲＣ造架台を現場打設するときに用いられ、前記基礎とＲＣ造架台の間にクリアランスが生じるように前記ＲＣ造架台の底面を成形する免震層上部ＲＣ造架台の底面施工用浮き型枠装置であって、前記基礎上に隣合う免震支承間に位置して配置される支保工と、この支保工に支持されて前記ＲＣ造架台の底面を成形する底型枠とを備え、前記底型枠は、下面に複数の斜め被支持台が並べて設けられ、これら複数の斜め被支持台は下面が互いの並び方向に傾斜した傾斜下面であり、前記支保工は前記底型枠の前記複数の斜め被支持台を傾斜方向へスライド可能にそれぞれ載せる複数の底型枠載置部を有し、前記底型枠に前記スライドが可能なように連結部材で連結され、かつ前記支保工は、前記ＲＣ造架台の立面を成形する型枠の内面に接する型枠当接部を端部に有するものとしたため、脱型が簡易に行えて施工性が良く、かつ再利用ができて低コストで施工することができる。
【図面の簡単な説明】
【００１０】
【図１】この発明の一実施形態にかかる免震層上部ＲＣ造架台の底面施工用浮き型枠装置を用いたＲＣ造架台の施工例を示す断面図である。
【図２】同底面施工用浮き型枠装置を裏返して示す見た斜視図である。
【図３】同底面施工用浮き型枠装置を表面側から見た斜視図である。
【図４】同底面施工用浮き型枠装置における底型枠への支保工の連結構造を示す分解斜視図である。
【図５】（Ａ）は同底面施工用浮き型枠装置を設置する前の基礎天端を示す平面図、（Ｂ）は同底面施工用浮き型枠装置を設置した後の基礎天端を示す平面図である。
【図６】同底面施工用浮き型枠装置の設置工程を示す斜視図である。
【図７】同底面施工用浮き型枠装置を用いたＲＣ造架台の打設作業におけるＲＣ造架台ベース部の脱型工程を示す斜視図である。
【発明を実施するための形態】
【００１１】
この発明の一実施形態を図１ないし図７と共に説明する。図１に示すように、この免震層上部ＲＣ造架台の底面施工用浮き型枠装置１は、布基礎からなる基礎１０上に免震支承１２を介して支持されるＲＣ造架台１３を現場打設するときに用いられ、基礎１０とＲＣ造架台１３の間にクリアランス１４が生じるようにＲＣ造架台１３の底面を成形する装置である。
【００１２】
免震支承１２は、例えば滑り支承であり、図５（Ａ）に平面図で示すように基礎１０上に長手方向に、間隔を開けて複数設置される。基礎１０上の隣合う免震支承１２，１２間の区間は、基礎１０とＲＣ造架台１３との間に前記クリアランス１４（図１）が生じる区間であり、ここでは支承間クリアランスと称す。図５（Ｂ）に示すように、この底面施工用浮き型枠装置１は、支承間クリアランスの間に位置して基礎１０上に長手方向に複数（図示の例では３つ）並べて配置され、図１のＲＣ造架台１３の長手方向の一部の底面の成形に用いられる。
【００１３】
図１において、この底面施工用浮き型枠装置１は、支保工２と、この支保工２に支持されてＲＣ造架台１３の底面を成形する底型枠３とを備える。同図における型枠１５はＲＣ造架台１３のベース部の立面を成形するものであり、型枠１６はＲＣ造架台１３の立上部の立面を成形するものである。
【００１４】
図２は前記底面施工用浮き型枠装置１を裏返して示す斜視図を示し、図３は同浮き型枠装置１を表面側から見た斜視図を示す。なお、これらの図において、矢印の方向は、建物の屋内外方向を示す。ここでは、１つの底面施工用浮き型枠装置１が２本の支保工２を有し、それらの支保工２が互いに平行に並べて設けられた例を示している。
【００１５】
図２のように、底型枠３は、その長手方向の長さがＲＣ造架台１３のベース部の幅寸法に揃えられた方形の板材であり、その下面には複数の斜め被支持台４が並べて設けられている。この例では、１本の支保工２に対して２つの斜め被支持台４が底型枠３の長手方向（基礎１０の幅方向と平行な方向）に並べられ、これに隣接して他の１本の支保工２に対する別の２つの斜め被支持台４が同じ方向に並べられている。ここでは、これらの斜め被支持台４は断面ハット型の部材として形成されている。また、底型枠３の下面には、前記２組の斜め被支持台４の中間位置にあって底型枠３の長手方向に延びる断面ハット型の補強部材６が設けられ、これにより底型枠３の面外剛性が高められている。さらに、底型枠３の四辺にもリブ３ａ，３ｂが設けられており、これにより底型枠３の面外剛性がさらに高められている。
【００１６】
各支保工２ごとに対応させた２つで１組となる斜め被支持台４，４は、それらの下面が互いの並び方向に傾斜し、かつ互いに同じ傾斜方向となる傾斜下面４ａ（図４）とされている。より具体的には、前記斜め被支持台４の傾斜下面４ａは、底型枠３の長手方向（基礎１０の幅方向と平行な方向）の建物屋外側に向けて下降傾斜する傾斜面とされている。また各支保工２は、対応する底型枠３の２つの斜め被支持台４，４を傾斜方向へスライド可能にそれぞれ載せる２つの底型枠載置部２ａを有し、前記スライドが可能なように底型枠３の斜め被支持台４に連結部材７で連結されている。また、支保工２における底型枠載置部２ａの両側には、支保工２を基礎１０の天端に載置する載置用脚部２ｂが形成され、底型枠載置部２ａと載置用脚部２ｂとを有する部分が断面ハット型に形成されている。この支保工２は、２つの底型枠載置部５の並び方向に延びる細長形状とされている。
【００１７】
図４には、前記連結部材７による支保工２の斜め被支持台４への連結構造の一例を分解斜視図で示している。この例では、連結部材７がビスであり、このビスを支保工２に設けたビス挿通孔５と、斜め被支持台４の傾斜下面４ａにその傾斜方向に延びて設けられたガイド長孔８とに挿通し、斜め被支持台４の裏側に突出するビスにナット９を螺合することで、支保工２が斜め被支持台４に連結されている。ビスとナット９とは、互いに上下逆に設けても良い。
【００１８】
各支保工２の長手方向両端部には、ＲＣ造架台１３の立面を成形する型枠１５（図１）の内面に接する型枠当接部２ｃ，２ｄがそれぞれ設けられている、ここでは、一端部の型枠当接部２ｃが底型枠３側に向く折り曲げ片として、また他端部の型枠当接部２ｄが基礎１０の天端側に向く折り曲げ片としてそれぞれ形成されている。
【００１９】
次に、上記構成の底面施工用浮き型枠装置１を用いて免震層上部ＲＣ造架台１３を現場打設する施工工程を以下に説明する。
先ず、図６のように、基礎１０の隣合う免震支承１２，１２間に前記浮き型枠装置１を配置する。ここでは、隣合う免震支承１２，１２間の距離つまり支承間クリアランスの距離が長い場合を示し、この区間に３つの浮き型枠装置１を並べて配置する。このとき、各浮き型枠装置１では、各支保工２が基礎１０の建物屋内外方向に向く姿勢で基礎１０の長手方向に平行に並び、支保工２の両端部の型枠当接部２ｃ，２ｄも建物屋内外方向に向いており、その載置用脚部２ｂで基礎１０の天端に支持されている。底型枠３の斜め被支持台４は、支保工２の底型枠載置部２ａに載置された状態にある。隣合う浮き型枠装置１の継ぎ目部分には、必要に応じて養生テープ等でコンクリートのタレ防止処理を行う。
【００２０】
浮き型枠装置１の設置後には、これら浮き型枠装置１の天端と免震支承１２の天端を合わせる。例えば、支保工２のスライド位置を調整することにより、底型枠３の天端位置を調整する。この後、図１のように、ＲＣ造架台１３の配筋、型枠１５，１６の組立、およびコンクリート打設を行う。図１において、ＲＣ造架台１３の鉄筋は、型枠１６を支持する手段を兼ねる鉄筋ベース１７のみを図示し、他の主鉄等の鉄筋は図示を省略している。
支保工２の両端部の型枠当接部，２ｃ，２ｄはＲＣ造架台１３の型枠１５の内面に当接させる。これにより、上部構造物の荷重で浮き型枠装置１が建物屋内外の方向にスライドすることはない。この状態で養生することにより、ＲＣ造架台１３が成形される。
【００２１】
図７は、ＲＣ造架台１３のベース部を成形する型枠１５を脱型した状態を示す。このとき、支保工２を建物屋外側にスライドさせると、支保工２の底型枠載置部２ａに載せられていた底型枠３の斜め被支持台４が相対的に下方に降下するため、支保工２と一体に底型枠３を簡単に建物屋外側に撤去することができる。この撤去により、基礎１０とＲＣ造架台１３の間にクリアランス１４が生じる。なお、ここでは、支保工２の底型枠載置部２ａおよび斜め被支持台４の傾斜下面４ａの傾斜を、支保工２が建物屋外側にスライドしたときに斜め被支持台４が下方に降下するように設定したが、逆向きに傾斜を設定して、支保工２が建物屋内側にスライドして支保工２と共に底型枠３を建物屋内側に撤去できるようにしても良い。
【００２２】
この構成の免震層上部ＲＣ造架台の底面施工用浮き型枠装置１によると、支保工２と底型枠３を連結部材７で連結してなる板状のものとしたため、支保工２と底型枠２を同時に脱型できる。また、支保工２の底型枠載置部２ａに載せられる複数の斜め被支持台４を底型枠２の下面に並べて設けたため、支保工２を建物屋内外方向に容易にスライドさせることができる。さらに、連結部材７で底型枠３の斜め被支持台４に連結される支保工２は、上部構造物の荷重がかからない状態でスライドできるため、底面施工用浮き型枠装置１を脱型する際には大きな力を必要とせず、簡単に脱型できる。脱型した底面施工用浮き型枠装置１は再利用できるので、施工コストを低減できる。
【００２３】
これらのことから、この免震層上部ＲＣ造架台の底面施工用浮き型枠装置１によると、基礎１０上に免震支承１２を介して支持されるＲＣ造架台１３を現場打設するときに用いて、前記基礎１０とＲＣ造架台１３の間にクリアランス１４が生じるように前記ＲＣ造架台１３の底面を施工性良く、かつ低コストで成形できる。
【００２４】
また、この実施形態では、支保工２を、複数（ここでは２つ）の底型枠載置部２ａの並び方向に延びる細長形状としているので、脱型時に複数（ここでは２つ）の底型枠載置部２ａを同時にスライドさせることができる。また、底型枠３に対して支保工２を複数本（ここでは２本）平行に設けているので、底型枠３を支持するための十分な強度を支保工２に持たせることができる。
【符号の説明】
【００２５】
１…浮き型枠装置
２…支保工
２ａ…底型枠載置部
２ｃ，２ｄ…型枠当接部
３…底型枠
４…斜め被支持台
４ａ…傾斜下面
７…連結部材
１０…基礎
１２…免震支承
１３…ＲＣ造架台
１４…クリアランス
１５，１６…型枠
【図１】
2015034405.tif 000003
【図２】
2015034405.tif 000004
【図３】
2015034405.tif 000005
【図４】
2015034405.tif 000006
【図５】
2015034405.tif 000007
【図６】
2015034405.tif 000008
【図７】
2015034405.tif 000009